(57)【特許請求の範囲】
【請求項１】
採掘車における少なくとも１つの採掘作業機を用いて、掘削計画に決められた作業サイクルに従った仕事を鉱山における作業現場において該掘削計画に基づいて遂行し、
前記作業サイクル後に前記採掘車の移動運転を行なうことを含む採掘車の使用方法において、該方法は、
前記採掘車を前記作業現場において外部電源回路網に接続し、該外部電源回路網からの電気を該発掘車に供給して前記作業サイクルに従った仕事を前記作業現場において遂行し、
前記採掘車内に配置されたエネルギー貯蔵器をエネルギー源として前記移動運転中に使用し、
前記作業サイクル中に前記作業現場にて、前記外部電源回路網からの前記電気で前記エネルギー貯蔵器を充電し、
前記作業サイクルにより生じる電力条件を判定し、前記エネルギー貯蔵器の充電電力を前記作業サイクルの入力電力に対して調節することを含むこと特徴とする採掘車の使用方法。
【請求項２】
請求項１に記載の方法において、該方法は、
前記エネルギー貯蔵器からの電荷を通常の移動運転中は所定の充電限界までのみ放電し、
別個の承認に応答してのみ、前記エネルギー貯蔵器からの前記充電限界より大きい放電を許容することを特徴とする方法。
【請求項３】
請求項１または２に記載の方法において、該方法は、
前記移動運転中は前記採掘車の位置エネルギーを電気エネルギーに変換し、これを使用して前記エネルギー貯蔵器を充電し、
次の移動運転の経路情報に基づいて、前記採掘車の位置エネルギーから電気エネルギーに変換されるエネルギー量を推定し、
前記作業サイクル中に前記外部電源回路網から前記エネルギー貯蔵器へ充電されるエネルギーの量を、前記位置エネルギーから生成される充電エネルギーの量に対して削減することを特徴とする方法。
【請求項４】
請求項１ないし３のいずれかに記載の方法において、該方法は、
前記現場にて行なわれる採掘作業機の作業サイクル中は前記採掘車の駆動力伝達を切ることを特徴とする方法。
【請求項５】
少なくとも１つの採掘作業機を備え、鉱山において掘削計画に従って少なくとも１つの作業現場で該採掘作業機により所定の作業サイクルに従って仕事を行なうように配設された少なくとも１台の採掘車と、
前記鉱山の外部電源回路網と、
前記採掘車を前記外部電源回路網へ接続して電気を給電する少なくとも１組の接続手段を含み、
前記採掘車は前記作業サイクル後に移動運転を行なう駆動機械を含む鉱山におけるシステムにおいて、
前記採掘車は、前記作業現場において、前記接続手段によって前記外部電源回路網へ接続して、該外部電源回路網から電気が供給されて前記作業サイクルに従った前記仕事を該作業現場において遂行し、
該採掘車は、少なくとも１つのエネルギー貯蔵器を含み、該エネルギー貯蔵器は前記移動運転に必要な電気エネルギーを貯蔵するように配設され、
前記システムはさらに、該エネルギー貯蔵器と前記外部電源回路網とを接続する接続手段と、該接続手段によって前記作業サイクル中に前記作業現場にて前記外部電源回路網からの前記電気で前記エネルギー貯蔵器を充電する充電手段と、該充電手段に関連して設けられて前記作業サイクルにより生じる電力条件を判定して前記充電手段による充電電力を該作業サイクルの入力電力に対して制御する制御手段とを含むことを特徴とする鉱山におけるシステム。
【請求項６】
請求項５に記載のシステムにおいて、
前記採掘車のエネルギー貯蔵器における電荷の移動運転中における放電が制限され、
別の指令を用いることによって大きな放電が可能であることを特徴とするシステム。
【請求項７】
請求項５または６に記載のシステムにおいて、
前記採掘車は少なくとも１つの操作部を含み、該操作部は次の移動運転のためのエネルギー消費量を判定するように配設され、
前記操作部は、該判定されたエネルギー条件に基づいて前記充電手段を自動的に制御し、または前記エネルギー条件に基づいて操作者に充電指令を発するように配設されていることを特徴とするシステム。
【請求項８】
請求項５ないし７のいずれかに記載のシステムにおいて、
採掘車は、１本の単体接続ケーブルによってそれ用の電気系統の前記外部電源回路網へ接続され、
前記採掘車は少なくとも１つの操作部を含み、該操作部は、前記外部電源回路網から供給される前記電気を前記採掘車の前記電気系統において、前記掘削作業サイクルに必要なアクチュエータおよび前記エネルギー貯蔵器の充電手段へ送るように配設されていることを特徴とするシステム。
【請求項９】
キャリッジと、
該キャリッジを動かす駆動機械と、
前記キャリッジに対して可動の少なくとも１本のブームと、
少なくとも１本のブーム上に配設された少なくとも１つの削岩機と、
削岩リグを作業現場において削岩中に外部電源回路網へ接続する少なくとも１組の接続手段とを含み、作業サイクルに従った仕事を鉱山における作業現場において遂行する削岩リグにおいて、
該削岩リグは前記接続手段によって前記外部電源回路網へ接続して、該外部電源回路網からの電気が供給されて、前記作業サイクルに従った前記仕事を前記作業現場において遂行し、
前記削岩リグは、少なくとも１つのエネルギー貯蔵器を含み、該貯蔵器は、移動運転に必要な電気エネルギーを貯蔵するよう配設され、
前記削岩リグはさらに、前記作業現場にて前記作業サイクル中に前記エネルギー貯蔵器を前記外部電源回路からの前記電気で充電する充電手段と、該充電手段に関連して設けられて前記作業サイクルにより生じる電力条件を判定して前記充電手段による充電電力を該作業サイクルの入力電力に対して制御する制御手段とを含むことを特徴とする削岩リグ。
【請求項１０】
請求項９に記載の削岩リグにおいて、
前記削岩リグは少なくとも１つの操作部を含み、該操作部は、前記外部電源回路網から供給される前記電気を該削岩リグの電気系統において、掘削作業サイクルに必要なアクチュエータおよび前記エネルギー貯蔵器の充電手段へ配電するよう配設されていることを特徴とする削岩リグ。
【請求項１１】
キャリッジと、
該キャリッジを動かす駆動機械と、
掘削計画に決められている作業サイクルに従って鉱山における作業現場において仕事を遂行する少なくとも１つの採掘作業機とを含み、該掘削作業機は、次のもの、すなわち削岩機、ボルト打設装置、コンクリート吹付け装置、スケーリング装置、貫入装置、発破孔装薬装置および計測器のうちの１つであり、さらに
前記作業現場において採掘車を外部電源回路網へ接続する少なくとも１組の接続手段を含む採掘車において、
該採掘車は、前記作業現場において、前記接続手段によって前記外部電源回路網へ接続して、前記電気が供給されて前記作業サイクルに従った前記仕事を前記作業現場において遂行し、
前記採掘車は、少なくとも１つのエネルギー貯蔵器を含み、該貯蔵器は、移動運転に必要な電気エネルギーを貯蔵するよう配設され、
前記採掘車はさらに、前記作業現場にて前記作業サイクル中に、前記外部電源回路網からの前記電気で前記エネルギー貯蔵器を充電する充電手段と、該充電手段に関連して設けられて前記作業サイクルにより生じる電力条件を判定して前記充電手段による充電電力を該作業サイクルの入力電力に対して制御する制御手段とを含むことを特徴とする採掘車。
【発明の詳細な説明】
【発明の背景】
【０００１】
本発明は、作業サイクルに基づいた仕事を作業現場で採掘車において少なくとも１台の採掘作業機によって遂行する方法に関するものである。作業サイクルの後、採掘車は１つの作業現場から次の現場へ運行される。作業現場では、必要な作動電力用の外部電源回路網へ採掘車を接続する。
【０００２】
さらに本発明は、鉱山における装置、削岩リグおよび採掘車に関するものである。本発明の分野は本特許出願の独立請求項の前段にさらに詳細に記載されている。
【０００３】
鉱山では、削岩リグおよび対応する採掘作業機を装備した採掘車を用いて、あらかじめ計画された作業現場において採掘作業機の作業サイクルに従って作業を行なう。掘削孔の穿孔などの必要な仕事が作業サイクルに従って遂行された後、採掘車を次の現場へ移動させ、新たな作業サイクルを開始する。地下鉱山ではとくに、作業サイクルに従った作業用の駆動エネルギーが鉱山の電源回路網からの電気である採掘車が一般に使用される。移動運転も鉱山の電源回路網からのエネルギーを用いて行なうことができるが、その場合、移動運転は電気ケーブルによって妨げられる。作業現場間の移動運転を燃焼エンジン、とくにジーゼルエンジンを使用して行なう車両も知られている。しかし、燃焼エンジンからの排出ガスおよび騒音が鉱山では問題となる。さまざまなハイブリッド駆動車両もまた燃焼エンジンを有し、これらの鉱山における使用が問題になっている。
【発明の簡単な説明】
【０００４】
本発明は、採掘車の新規で改善された使用方法および装置、削岩リグ、ならびに採掘車を提供することを目的とする。
【０００５】
本発明の方法は、採掘車内に位置するエネルギー貯蔵器を移動運転中にエネルギー源として用い、作業サイクル中に外部電源回路網から得られる電気で前記エネルギー貯蔵器を充電することを特徴とする。
【０００６】
本発明の装置は以下の点を特徴とする。すなわち、採掘車は少なくとも１つのエネルギー貯蔵器を含み、貯蔵器は、移動運転中に必要な電気エネルギーを貯蔵するよう配設され、本システムは、掘削計画に基づいた作業サイクル中に作業現場でエネルギー貯蔵器を充電する充電手段を含むことである。
【０００７】
本発明の削岩リグは以下の点を特徴とする。すなわち、削岩リグは少なくとも１つのエネルギー貯蔵器を含み、貯蔵器は、移動運転中に必要な電気エネルギーを貯蔵するよう配設され、削岩リグは、作業現場にて穿孔が行なわれると同時にエネルギー貯蔵器を充電する充電手段を含むことである。
【０００８】
本発明の採掘車は以下の点を特徴とする。すなわち、採掘車は少なくとも１つのエネルギー貯蔵器を含み、貯蔵器は、移動運転中に必要な電気エネルギーを貯蔵するよう配設され、採掘車は、作業現場にて採掘作業機により作業サイクルが行なわれると同時にエネルギー貯蔵器を充電する充電手段を含むことである。
【０００９】
本発明の概念によれば、採掘車はエネルギー貯蔵器を備え、エネルギー貯蔵器から放電される電気エネルギーを移動運転に利用する。加えて、作業現場において採掘作業機の使用中、すなわち作業サイクル中にエネルギー貯蔵器を充電する。作業サイクルおよび作業現場は、鉱山の掘削計画もしくは請負作業現場等において事前に決めておく。
【００１０】
本発明に利点は、騒音および排出ガスを発生する燃焼エンジンを除去することができ、これによって当然、鉱山の作業条件および作業安全性が向上することである。加えて、周囲に多くの空間を必要とする大型燃焼エンジンを除去してもよい場合、採掘車の建造および配置が行ない易くなる。エネルギー貯蔵器を採掘車のキャリッジ上に配置することが容易になる。さらに、頻繁な長時間の作業サイクル中にエネルギー貯蔵器が充電されるので、この時間を利用することができ、採掘車を特別な充電ステーションまで移動させる必要がない。充電は作業サイクル中に行なわれるので、移動運転を始める時にはエネルギー貯蔵器がすでに充電されている。作業現場に配設されている電気接続を利用するので、別個の何らかの充電ステーションを鉱山もしくは請負作業現場の電源回路網へ配設する必要もない。
【００１１】
一実施例の概念によれば、エネルギー貯蔵器の充電中、少なくとも１台の採掘作業機およびその駆動に必要なアクチュエータを同時に使用する。したがって、例えば穿孔もしくは岩盤補強を充電と同時に行なうことができる。
【００１２】
一実施例の概念によれば、作業現場において、外部電源回路網からの電気エネルギーを採掘車の電気系統へ供給し、この供給された電気エネルギーの一部分を採掘車の電気系統において採掘作業機へ配電し、さらに第２の部分を充電器へ配電する。
【００１３】
一実施例の概念によれば、採掘車は、移動運転を行なうための少なくとも１つの電動モータを含む。電動モータは駆動機械の一部であってよい。電動モータは駆動車輪の推進軸に直接作用させてもよく、この場合、電動ハブモータでよい。他の選択肢として、駆動機械は、電気機械式もしくは電気油圧式トランスミッションを含んでよく、駆動力は電動モータによって生成される。
【００１４】
一実施例の概念によれば、移動運転はエネルギー貯蔵器のエネルギーだけを用いて行なう。
【００１５】
一実施例の概念によれば、１回の作業サイクルの後、先ず短距離移動運転を外部電源回路網から得られたエネルギーを用いて行ない、その後、電源ケーブルを取り外し、長距離移動運転をエネルギー貯蔵器のエネルギーだけを用いて行なう。このとき、採掘車は、まず作業現場から離して移動させて接続ケーブルを取り外してもよい。
【００１６】
一実施例の概念によれば、作業サイクル中に、採掘作業機および補助装置に使用する電力を計測し、エネルギー貯蔵器の充電電力を作業サイクルの入力電力に対して調節する。この装置によって、鉱山の電源回路網の負荷を平衡させ、過負荷を回避することができる。作業サイクルに大きな電力を必要なときは、充電電力を減らしてもよく、同様に、作業サイクルの電力必要量が小さいときは、充電電力をもっと上げてもよい。
【００１７】
一実施例の概念によれば、通常の使用では、採掘車のエネルギー貯蔵器は、エネルギー貯蔵器の総容量の所定の割合、例えば全充電容量の最大20%を用いて放電のみを行なってもよい。
【００１８】
一実施例の概念によれば、採掘車は少なくとも１つの制御装置を備え、制御装置は、電気消費量およびエネルギー貯蔵器の充電をモニタおよび制御するよう配設されている。
【００１９】
一実施例の概念によれば、エネルギー貯蔵器に残っている電荷に対する１つ以上の限度を採掘車の操作部に設定する。操作部は、充電限度およびエネルギー貯蔵器に残っている電荷を操作者に表示する表示部を有している。
【００２０】
一実施例の概念によれば、特殊な状況で特別な制御命令を使えば、採掘車の使用はプリセットされた充電限度に達した後でも許容される。このような場合、エネルギー貯蔵器から通常より高い充電、例えばエネルギー貯蔵器の最大容量の50%を暫定的に放電することができる。本装置によれば、電気駆動式車両用の一種の「予備タンク」を有することが可能になる。
【００２１】
一実施例の概念によれば、採掘車の操作部は搭載コンピュータを含み、これによって操作者は、例えば運転すべき経路および作業現場、作業現場で遂行すべき仕事およびそれらの推定期間、次の移動運転の地形図、長さおよび推定電気消費量などについての情報、ならびにエネルギー貯蔵器のモニタおよび充電に関する情報を得ることができる。
【００２２】
一実施例の概念によれば、移動運転中に採掘車の位置エネルギーを電気エネルギーに変換し、この電気でエネルギー貯蔵器を充電する。車両が低い地面へ移動、すなわち下り坂を走ると、位置エネルギーが放出される。下り坂を運転する際、車両は通常、減速する必要があり、生成された減速エネルギーを充電に利用する。
【００２３】
一実施例の概念によれば、作業サイクル後の次の移動運転の経路および高低差を考慮する。加えて、採掘車の位置エネルギーから電気エネルギーへ変換されるエネルギーの量を推定し、減速エネルギーから得られた充電用電気を考慮して、エネルギー貯蔵器へ充電されるエネルギーの最大量を減少する。これによって、車両の減速エネルギーをできる限り効率的に利用し、鉱山の電源回路網から得る充電用電気を減少することができる。これによってエネルギーコストが節約される。操作者は、次の移動運転の情報に基づいて充電を手動制御してもよい。他の選択肢として、採掘車の操作部は、次の移動運転の経路を定義し、その経路および下り坂区域を考慮して充電を自動的に調節するように配設してもよい。
【００２４】
一実施例の概念によれば、蓄電するするエネルギー貯蔵器は電池、代表的には電気機械的電池であるある。
【００２５】
一実施例の概念によれば、蓄電するエネルギー貯蔵器はコンデンサである。
【００２６】
一実施例の概念によれば、採掘車は、燃料からエネルギーを生成するそれ用の動力装置を全く有していない。このように採掘車は、運転に必要なエネルギーを生成する燃焼エンジン、あるいは電気エネルギーを生成する発電機・燃焼エンジンの組合せを有していない。これによって採掘車の構造を簡略化している。しかし、注目すべきは、採掘車が運動エネルギーから電気エネルギーを生成する手段を有してもよいことである。
【００２７】
一実施例に概念によれば、採掘車は、次の採掘作業機を１台以上、すなわち、削岩機、ボルト打設装置、ショットクリート装置、スケーリング装置、貫入装置、発破孔装薬器、測定装置、または少量装薬掘削に用いられる穿孔、シールおよび推進剤供給装置を含む。削岩機は、切羽掘削装置、もしくは生産孔の掘削に用いられる装置、すなわち扇形状態に掘削孔を掘削する長孔掘削装置であってもよい。採掘作業機は、剥離前の岩盤を処理するのに用いられるアクチュエータであり、これは、与えられた作業サイクルに従って複数の連続する作業を行なうものである。通常は、採掘作業機によって１つの作業現場で複数の同様な作業を行なう。これらの作業は、掘削計画、装薬計画もしくは同様の採掘計画などの掘削計画において決めてよい。採掘作業機は通常、作業サイクル中、工具が移動するブームへ配設されている。他方、採掘作業機は、採掘車においてその作業サイクル中、工具を支持する同様の支持体もしくは支持構体へ配設してもよい。
【００２８】
一実施例の概念によれば、採掘車は、わずかに１本の給電ケーブルによって電源回路網へ接続し、電源回路網の電流は、採掘車内の充電手段および電動モータおよび作業サイクル中に必要な各装置へ送る。採掘車は、採掘車の電気系統における給電ケーブルを通して供給される電力を適切な方法で、作業サイクルの実行に必要なアクチュエータおよびエネルギー貯蔵器を充電する充電手段へ送る手段を有している。この装置は、鉱山の通常の基本設備を何ら変更しないで済む。
【００２９】
一実施例の概念によれば、採掘車もしくは作業現場は、作業サイクルおよび充電用電力に必要な電気を供給する別個の給電ケーブルを有する。
【００３０】
一実施例の概念によれば、採掘車は、少なくとも１つのコンバータを含み、これは、鉱山の電源回路網から、または他のいくつかの外部電気系統から供給される電力を採掘車の充電手段および電気装置に適するように変換するように配設されている。コンバータは例えば、電源回路網の電圧を所望のように変換し、電圧スパイクを濾波し、または交流を直流に変換することができる。したがって、同一の採掘車であっても、さまざまな電気系統を装備した各鉱山に使用するのに適している。
【００３１】
一実施例の概念によれば、採掘車は作業現場で静止する。その場合、採掘車は作業現場に配置され、そのキャリッジは、充電中、および作業現場にて採掘作業機により行なわれる作業サイクル中、基本的に静止している。駆動はスイッチが切られ、採掘車が自身で動くことはない。
【００３２】
一実施例の概念によれば、作業現場で行なわれる作業サイクルには、採掘車を作業現場における少なくとも２つの位置すなわち場所に配置して掘削計画に従って作業サイクルを実行することが必要である。その位置は、作業現場内で互いに相対的に近在させてもよい。例えば、これらの位置は、トンネル線の同一の軸方向位置、すなわち同じ杭番号のところにあってトンネル線の異なる側に置いてもよい。扇形掘削もしくはロックボルト打設において、１つの作業現場について、互いにトンネル線方向に間隔をおいて２つ以上の位置を配してもよい。したがって、作業現場で連続した各扇形に必要な作業は、掘削計画での必要に応じてその作業現場に配設された同じ給電点を利用して行なわれる。
【図面の簡単な説明】
【００３３】
次に、添付図面において本発明のいくつかの実施例を、さらに詳細に説明する。
【図１】採掘車、この場合は削岩リグを示す模式的側面図である。
【図２】採掘車の経路プロファイル、作業現場の位置、および作業現場間における移動運転を示す模式図である。
【図３】充電関係の手段および充電のモニタリングを示す模式図である。
【図４】充電および使用に関する情報をディスプレイ上に表示することができる採掘車操作部を示す模式図である。
【００３４】
各図では、明確にするため本発明のいくつかの実施例を簡略化して示す。図において、同様の部分は同じ参照番号で示す。
【発明のいくつかの実施例の詳細な説明】
【００３５】
図１は、１台以上の採掘作業機２を装備した採掘車１の一例である削岩リグを示す。削岩リグは、駆動機械４によって動かすことができるキャリッジ３を有する。駆動機械４は１つ以上の駆動モータ、および駆動力を１つ以上の車輪７へ伝達する１つ以上の動力伝動手段６を有している。駆動力伝達機構は、機械歯車系および機械的動力伝動部材で構成してもよく、または他の選択肢として、駆動力伝達機構は液圧式もしくは電気式でもよい。キャリッジ３には１本以上のブーム８を配設してもよく、ブームには採掘作業機２を装備することができる。図１に示す実施例では、第１のブーム8aは掘削用ブームであり、この最外端部には送りビーム10を有する削岩装置９が配され、このビームに沿って削岩機11を送り装置12により動かすことができる。削岩機11は、工具14に衝撃パルスを生成する衝撃装置13と、工具14をその長手軸を中心に回転させる回転装置15を備えることができる。これらの掘削ブーム8aの何本かは削岩リグに配してもよい。一例として、ボルト打設装置16を有する第２のブーム8bが示され、ボルト打設装置は、事前に穿孔した掘削孔にロックボルトを配設して被掘削岩洞を支えるものである。図１の実施例では、第３のブーム8cには穿孔した掘削孔を測定する測定装置17が装備されている。他の採掘作業機２は例えば、シール材の岩盤への注入に用いられる貫入装置、コンクリート吹付け装置、スケーリング装置、少量装薬掘削にて使用される装置、および爆薬のセットに使用される発破孔装薬装置である。採掘車１は、鉱山18の掘削計画に基づいて、または採掘作業機２が作業サイクルに従って作業を行ないその作業が比較的長い時間をとる作業現場19に対して事前に起案した同様の計画に基づいて、運転される。例えば、削岩機の作業サイクルは、作業現場19における掘削計画にて決められた複数の掘削孔の穿孔を含んでよい。各掘削孔の穿孔は通常、カラー処理、実掘削、延長ロッドおよびドリルビットの交換、ならびに穿孔後の延長ロッド装置の分解などの複数の作業段階からなる。作業現場19で掘削作業サイクルを行なうことは、ときどき完全な交代制勤務をとったとしても数時間かかることがある。同様に、装薬、ボルト打設、測定、コンクリート吹付けおよび貫入も、やはり時間のかかる作業であることが多い。一般に、採掘作業機２の使用は、掘削孔の掘削、もしくは仕上った孔の更なる処理に関係している。したがって、これは未剥離岩盤の処理を意味している。
【００３６】
採掘車１の作業現場19における位置も掘削計画で決定してよい。場合によっては、作業現場もやはり、トンネルの壁などの作業現場を囲撓する表面にあらかじめ印を付けておいてもよい。採掘車１は作業現場19に正確に配置または案内することができ、その後、採掘作業機２は作業サイクルに従って、複数の掘削孔を次々に穿孔し、もしくは複数の穿孔した掘削孔にロックボルトを次々に装設するなどの仕事を行なうことができる。移動運転は、掘削計画に従った仕事をその作業現場において遂行した後にのみ行なう。
【００３７】
作業現場19は、鉱山の生産トンネル内の場所でよく、これは杭番号として公知のものを使用して掘削計画において定義される。さらに、作業現場はトンネルの切羽、もしくは補強すべき岩洞内に定義された場所でもよく、この中に複数の掘削孔を扇形に穿孔し、ロックボルトをそれらに取り付ける。
【００３８】
図１はさらに、鉱山18が、固定的に設置してもよい電源回路網20を有していることを示し、これは変更可能な回路網からなってもよい。採掘車１が作業現場19にある場合、その採掘作業機２、液圧系、何らかの必要な補助系統は、外部電源回路網20から得られる電気エネルギーによって駆動される。本願において外部電源回路網20とは、採掘車１の電気系統に対して外部の電源回路網のことを言う。鉱山もしくは請負作業現場の電源回路網は、掘削計画に従って設計され、その掘削計画に従って作業現場へ給電することができる。したがって外部電源回路網は、採掘車によって作動する全領域を網羅する充電用回線網を得るようには構成されていない。採掘車１は１本以上の接続ケーブル21によって電源回路網20へ接続することができる。接続ケーブル21はリール22に配設してもよく、電源回路網20の電源コネクタへ接続できる適切なコネクタ23を備えていてもよい。または、リール22およびケーブル21は、鉱山18内に配設してもよく、接続ケーブル21は採掘車１へ接続される。採掘車１にはコンバータ25を配備してもよく、これによって電源回路網20からの給電は採掘車１に適合するように変換することができる。この変換は、電圧を適合するように変換したり、交流を直流に変換したり、他の電気技術的変換をしたりすることを含んでよい。コンバータ25の助けにより、採掘車１は、その電源回路網20の特性および品質に関係なく、どの鉱山18における使用にも適応することができる。
【００３９】
採掘車１は１つ以上のエネルギー貯蔵器26も有し、これから電流を放電することができ、同様にこれに対して電流を充電することができる。エネルギー貯蔵器26は、電池、コンデンサもしくは同等物でよい。エネルギーを化学的もしくは電気的電荷として蓄電してもよい。エネルギー貯蔵器26は、電流を駆動用装置４へ給電して、採掘車１は作業現場19間を、燃焼エンジンなしに、もしくは外部電源回路網20への接続なしに、移動することができる。加えて、採掘車１は充電器27を備え、これによりエネルギー貯蔵器26は電源回路網20からの電気で充電することができる。
【００４０】
採掘車１が比較的時間のかかる作業を作業現場19で作業サイクルに従って行なう場合、作業現場19で費やされるこの時間を利用して、その作業サイクル中に同時にエネルギー貯蔵器26を充電する。作業現場19で作業サイクルが終了すると、エネルギー貯蔵器26も負荷に接続されて次の移動運転に備える。採掘車を別の充電ステーションへ動かす必要はない。
【００４１】
図２は、事前に計画された採掘車１の運転経路28およびその作業現場19を高度に簡略化して示す。運転経路28のプロファイルは、上り坂区域および下り坂区域すらも含んでよい。作業現場19間の移動運転29はエネルギー貯蔵器26からの電流を使用して行なう。当然、エネルギー貯蔵器26の容量は、平坦地区域もしくは下り坂区域では上り坂区域よりも長く持続する。作業現場19ごとに行なわれる充電量は、作業現場後の移動運転29の長さと経路28の立面プロファイルを考慮して設定してもよい。採掘車１の操作者はその充電を手動操作してもよく、または操作部32を配設して充電制御の際に次の移動運転29のエネルギー条件を自動的に考慮するようにしてもよい。
【００４２】
エネルギー貯蔵器から得られた電気は、駆動用装置にばかりでなく、移動運転中に必要な補助装置の駆動にも使用してよい。補助装置および機能は、操舵に必要な液圧を生成する液圧式ポンプ、電気制御装置の使用、運転室の換気および除霜、ドライビング灯および同様の装置を含んでよい。
【００４３】
エネルギー貯蔵器からの電気は特殊環境における作業現場でも使用することができる。電源回路網の給電が何らかの理由で遮断された場合、採掘車のバックアップ系統がエネルギー貯蔵器からのエネルギーによって作動することができる。このようにして、例えばブームを制御状態で降下させることができる。
【００４４】
移動運転で使用される駆動モータは永久磁石交流モータでよい。この種のAC駆動モータは、頑丈で効率的であり、さらに周波数コンバータによって正確に制御することもできる。トラクションモータは、DCモータ、または三相同期、非同期もしくは同期リラクタンスACモータにすることができる。
【００４５】
図２にて分かるように、経路28のプロファイルは、採掘車１が減速する必要のある長い下り坂区域を含むことがある。減速は駆動用装置４を使って行なうことができるが、その場合、これに属する電動モータを発電機として接続し、発電した電流をエネルギー貯蔵器26の充電に使用することができる。余分な電流があれば、抵抗器へ送って熱に変換してもよい。採掘車１がその経路28上を低い位置へ移動すると、位置エネルギーが放出され、少なくとも部分的にこれをエネルギー貯蔵器26へ回収することができる。この事項は、作業現場19bで行なう充電の量を決める際に考慮すればよい。操作者は、次の移動運転29に多くの下り坂区域31が含まれていると分かれば、作業現場における充電を減らしてもよい。他の選択肢として、操作部32は、経路情報に基づいて自動的に充電量を減らしてもよい。
【００４６】
図３は、作業現場19において、電源回路網20が電気エネルギーを採掘車１内の入力手段34へ供給し、次いで、第１に作業サイクルに必要なアクチュエータ35へ、第２に充電器27へ直流電流を供給する装置を示す。この装置は制御装置36を有し、これは、作業サイクルにより生じる電力条件を判定し、それに基づいて充電器27を調節するように構成されている。次に、エネルギー貯蔵器26の充電電力を作業サイクルの入力電力に対して調節する。このようにして、電源回路網20の負荷を平衡させることができる。採掘作業機２により行なわれる作業サイクルは、多くの低電力消費量の期間を有している。充電電力は、これらの期間中に増大させることができる。同様に、例えば全出力の掘削中に、充電電力を削減したり、または充電を完全に遮断してもよい。
【００４７】
充電器27は独立した装置でもよく、または採掘車の電気系統へ一体化してもよい。本特許出願において、充電器および充電手段とは、さまざまな電気装置、機器、制御手段、接続部材および他の必要な機器であって電源回路網の電気を適切な形で車両のエネルギー貯蔵器に充電用に供給できるものを言う。
【００４８】
図４は採掘車の操作部32を示し、これには表示部37を装備してもよい。表示部37は、採掘車１のシステムの作動、行なうべき作業サイクル、および移動運転に関する情報を操作者に汎用表示することができる。一例として、図４は表示部37が経路28のプロファイル、その経路上の作業現場19、ならびに移動運転の距離、高低差および推定エネルギー消費量を表示可能であることを示している。さらに、エネルギー貯蔵器26の充電状態38をそれ用のウインドウに表示してもよい。これから分かるように、操作部には充電の下限39を設定してもよく、これを下回ることは通常ない。エネルギー貯蔵器26は通常、最大充電量40から設定下限39までの範囲41内で使用される。操作部は、充電の下限39に近づくと警報を発するように構成してもよく、または操作部は、行なうべき移動運転に対してエネルギー貯蔵器26の充電状態が十分であるか否かを事前に計算して表示してもよい。充電の下限39を下回ることは、関連する指令を操作部へ出すことによって暫定的に許可してもよい。電荷の通常より大きい放電を繰り返すと、エネルギー貯蔵器は早期に故障し廃棄することになるかもしれないが、一時的な過放電がエネルギー貯蔵器の可動寿命に大きな影響を及ぼすことはない。したがって、本装置は一種の電気的「貯蔵タンク」として使用することができ、これは図４では充電状態曲線の破線部分42で示されている。
【００４９】
図４はさらに、表示部37が穿孔パターン43などの作業サイクル、および充電計画等に関する情報も表示することができることも示している。実際上、操作部32および表示部37は一種の搭載コンピュータを形成してもよい。
【００５０】
これまで説明したのは、採掘車もしくは削岩リグを先ず、ある作業現場から次の作業現場へ直接移動させる状況であった。しかし、採掘車を作業現場から中間場所へ移動させ、こうしてから初めて次の作業現場へ移動させる状況がある。中間場所とは、サービスステーション、安全地点もしくは同様な場所でよい。場合によっては、中間場所で採掘車のエネルギー貯蔵器を充電することも可能である。
【００５１】
本特許出願で説明した方式は、掘削トンネルの場合にも使用することができる。トンネルは円形に掘削される。その作業現場は、掘削孔を穿孔し装薬するトンネルの切羽である。円形を爆破する前に、削岩装置を切羽から離して安全地点へ移動させる。爆破後、爆破した岩を取り除いた後、削岩リグは安全地点からトンネルの切羽へ戻され、他の円形を掘削する。トンネルを円形で掘削することは、新たな掘削現場すなわち新たな作業現場が前の掘削現場すなわち前の作業現場からその円形の長さに等しい距離にあることを意味する。したがって移動運転は、前の作業現場から安全地点を径由して次の作業現場までとなる。
【００５２】
ここで言及すべきことは、本特許出願において鉱山とは、地下鉱山および露天掘り鉱山を称することである。さらに、本方法、採掘車および削岩リグは、さまざまな岩洞を掘削する場合などの請負工事現場で使用することができる。したがって、請負作業現場も一種の鉱山と考えてよい。請負作業現場では、外部電源回路網を可搬プラットホーム上の束線などのように変更可能である。
【００５３】
場合によっては、本特許出願に開示する特徴事項は、他の特徴事項に無関係に用いてもよい。他方、本特許出願に開示する各特徴事項は、必要な場合、組み合わせてさまざまな組合せを作ってもよい。
【００５４】
図面および関連説明は本発明の概念を説明することのみを意図したものである。本発明は請求項の範囲内で細部を変えてもよい。
【図１】
0005400893.tif 000002
【図２】
0005400893.tif 000003
【図３】
0005400893.tif 000004
【図４】
0005400893.tif 000005